【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
少なくとも１つの非ペプチド性ポリマーと、
一般式：
Ｚ−（Ｘ）ｍ−（Ｙ）ｎ−Ｚ’ｐ
（式中、
Ｚは、Ｎ末端保護基であり；
Ｘは、出現毎に、脂肪族アミノ酸、脂肪族アミノ酸誘導体及びグリシンから独立して選択され；
Ｙは、出現毎に、極性アミノ酸及び極性アミノ酸誘導体から独立して選択され；
Ｚ’は、Ｃ末端保護基であり；
ｍは、２〜６から選択される整数であり；
ｎは、１又は２から選択され；
ｐは、０又は１から選択される）
を有する少なくとも１つのペプチドと
を含む複合ヒドロゲル。
【請求項２】
疎水性が前記ペプチドのＮ末端からＣ末端へ低下する、請求項１に記載の複合ヒドロゲル。
【請求項３】
前記脂肪族アミノ酸及び脂肪族アミノ酸誘導体が、アラニン（Ａｌａ、Ａ）、ホモアリルグリシン、ホモプロパルギルグリシン、イソロイシン（Ｉｌｅ、Ｉ）、ノルロイシン、ロイシン（Ｌｅｕ、Ｌ）及びバリン（Ｖａｌ、Ｖ）からなる群から選択される、請求項１又は２に記載の複合ヒドロゲル。
【請求項４】
前記極性アミノ酸及び極性アミノ酸誘導体が、アスパラギン酸（Ａｓｐ、Ｄ）、アスパラギン（Ａｓｎ、Ｎ）、グルタミン酸（Ｇｌｕ、Ｅ）、グルタミン（Ｇｌｎ、Ｑ）、５−Ｎ−エチル−グルタミン（テアニン）、シトルリン、チオ−シトルリン、システイン（Ｃｙｓ、Ｃ）、ホモシステイン、メチオニン（Ｍｅｔ、Ｍ）、エチオニン、セレノメチオニン、テルロメチオニン、セリン（Ｓｅｒ、Ｓ）、ホモセリン、アルギニン（Ａｒｇ、Ｒ）、ホモアルギニン、トレオニン（Ｔｈｒ、Ｔ）、アロ−トレオニン、リジン（Ｌｙｓ、Ｋ）、ヒドロキシリシン、Ｎ（６）−カルボキシメチルリシン、オルニチン（Ｏｒｎ）、２，４−ジアミノ酪酸（Ｄａｂ）、２，４−ジアミノプロピオン酸（Ｄａｐ）及びヒスチジン（Ｈｉｓ、Ｈ）からなる群から選択される、請求項１〜３のいずれか一項に記載の複合ヒドロゲル。
【請求項５】
前記極性アミノ酸及び極性アミノ酸誘導体が、酸性極性アミノ酸及び酸性極性アミノ酸誘導体から選択される、請求項１〜４のいずれか一項に記載の複合ヒドロゲル。
【請求項６】
ｍが２〜５から選択され、
及び／又は、
ｍ＋ｎは≦７であるか、ｍ＋ｎは≦６である、請求項１〜５のいずれか一項に記載の複合ヒドロゲル。
【請求項７】
前記ペプチドが、Ｚ−ＬＩＶＡＧＤＤ−Ｚ’ｐ（配列番号１）、Ｚ−ＬＩＶＡＧＤＥ−Ｚ’ｐ（配列番号２）、Ｚ−ＬＩＶＡＧＥＤ−Ｚ’ｐ（配列番号３）、Ｚ−ＬＩＶＡＧＥＥ−Ｚ’ｐ（配列番号４）、Ｚ−ＬＩＶＡＧＫＣ−Ｚ’ｐ（配列番号５）、Ｚ−ＬＩＶＡＧＳＣ−Ｚ’ｐ（配列番号６）、Ｚ−ＡＩＶＡＧＫＣ−Ｚ’ｐ（配列番号７）、Ｚ−ＡＩＶＡＧＳＣ−Ｚ’ｐ（配列番号８）、Ｚ−ＬＩＶＡＧＣ−Ｚ’ｐ（配列番号９）、Ｚ−ＬＩＶＡＧＤ−Ｚ’ｐ（配列番号１０）、Ｚ−ＩＬＶＡＧＤ−Ｚ’ｐ（配列番号１１）、Ｚ−ＬＩＶＡＡＤ−Ｚ’ｐ（配列番号１２）、Ｚ−ＬＡＶＡＧＤ−Ｚ’ｐ（配列番号１３）、Ｚ−ＡＩＶＡＧＤ−Ｚ’ｐ（配列番号１４）、Ｚ−ＬＩＶＡＧＥ−Ｚ’ｐ（配列番号１５）、Ｚ−ＬＩＶＡＧＫ−Ｚ’ｐ（配列番号１６）、Ｚ−ＬＩＶＡＧＳ−Ｚ’ｐ（配列番号１７）、Ｚ−ＩＬＶＡＧＳ−Ｚ’ｐ（配列番号１８）、Ｚ−ＡＩＶＡＧＳ−Ｚ’ｐ（配列番号１９）、Ｚ−ＬＩＶＡＧＴ−Ｚ’ｐ（配列番号２０）、Ｚ−ＡＩＶＡＧＴ−Ｚ’ｐ（配列番号２１）、Ｚ−ＬＩＶＡＤ−Ｚ’ｐ（配列番号２２）、Ｚ−ＬＩＶＧＤ−Ｚ’ｐ（配列番号２３）、Ｚ−ＩＶＡＤ−Ｚ’ｐ（配列番号２４）、Ｚ−ＩＩＩＤ−Ｚ’ｐ（配列番号２５）、Ｚ−ＩＩＩＫ−Ｚ’ｐ（配列番号２６）、Ｚ−ＩＶＤ−Ｚ’ｐ（配列番号２７）、Ｚ−ＩＩＤ−Ｚ’ｐ（配列番号２８）、Ｚ−ＬＶＥ−Ｚ’ｐ（配列番号２９）、Ｚ−ＩＶＥ−Ｚ’ｐ（配列番号３０）、Ｚ−ＬＶＤ−Ｚ’ｐ（配列番号３１）、Ｚ−ＶＩＥ−Ｚ’ｐ（配列番号３２）、Ｚ−ＶＩＤ−Ｚ’ｐ（配列番号３３）、Ｚ−ＶＬＤ−Ｚ’ｐ（配列番号３４）、Ｚ−ＶＬＥ−Ｚ’ｐ（配列番号３５）、Ｚ−ＬＬＥ−Ｚ’ｐ（配列番号３６）、Ｚ−ＬＬＤ−Ｚ’ｐ（配列番号３７）、Ｚ−ＩＩＥ−Ｚ’ｐ（配列番号３８）、Ｚ−ＩＶＫ−Ｚ’ｐ（配列番号３９）、Ｚ−ＩＶ（Ｏｒｎ）−Ｚ’ｐ（配列番号４０）、Ｚ−ＩＶ（Ｄａｂ）−Ｚ’ｐ（配列番号４１）、Ｚ−ＩＶ（Ｄａｐ）−Ｚ’ｐ（配列番号４２）、Ｚ−ＩＶＳ−Ｚ’ｐ（配列番号４３）、Ｚ−ＬＶＳ−Ｚ’ｐ（配列番号４４）、Ｚ−ＬＶＫ−Ｚ’ｐ（配列番号４５）、Ｚ−ＬＶ（Ｏｒｎ）−Ｚ’ｐ（配列番号４６）、Ｚ−ＬＶ（Ｄａｂ）−Ｚ’ｐ（配列番号４７）、Ｚ−ＬＶ（Ｄａｐ）−Ｚ’ｐ（配列番号４８）、Ｚ−ＩＬＶＡＧＫ−Ｚ’ｐ（配列番号４９）、Ｚ−ＩＬＶＡＧ（Ｏｒｎ）−Ｚ’ｐ（配列番号５０）、Ｚ−ＩＬＶＡＧ（Ｄａｂ）−Ｚ’ｐ（配列番号５１）、Ｚ−ＩＬＶＡＧ（Ｄａｐ）−Ｚ’ｐ（配列番号５２）、Ｚ−ＩＬＶＡＧＳ−Ｚ’ｐ（配列番号５３）、Ｚ−ＩＬＶＡＧＫＣ−Ｚ’ｐ（配列番号５４）、Ｚ−ＡＩＶＡＧＫ−Ｚ’ｐ（配列番号５５）、Ｚ−ＡＩＶＡＧ（Ｏｒｎ）−Ｚ’ｐ（配列番号５６）、Ｚ−ＡＩＶＡＧ（Ｄａｂ）−Ｚ’ｐ（配列番号５７）、Ｚ−ＡＩＶＡＧ（Ｄａｐ）−Ｚ’ｐ（配列番号５８）、Ｚ−ＬＩＶＡＧ（Ｏｒｎ）−Ｚ’ｐ（配列番号５９）、Ｚ−ＬＩＶＡＧ（Ｄａｂ）−Ｚ’ｐ（配列番号６０）、Ｚ−ＬＩＶＡＧ（Ｄａｐ）−Ｚ’ｐ（配列番号６１）、Ｚ−ＩＩＩ（Ｏｒｎ）−Ｚ’ｐ（配列番号６２）、Ｚ−ＩＩＩ（Ｄａｂ）−Ｚ’ｐ（配列番号６３）及びＺ−ＩＩＩ（Ｄａｐ）−Ｚ’ｐ（配列番号６４）からなる群から選択される、請求項１〜６のいずれか一項に記載の複合ヒドロゲル。
【請求項８】
前記非ペプチド性ポリマーが、親水性又は両親媒性のポリマーであり、
及び／又は、
前記非ペプチド性ポリマーが、線状又は分枝状のポリマーである、請求項１〜７のいずれか一項に記載の複合ヒドロゲル。
【請求項９】
前記非ペプチド性ポリマーが、カチオン性ポリマー、アニオン性ポリマー、中性ポリマー又は前述のいずれかの組み合わせである、請求項１〜８のいずれか一項に記載の複合ヒドロゲル。
【請求項１０】
複合ヒドロゲルが、少なくとも１つの生物活性剤をさらに含む、請求項１〜９のいずれか一項に記載の複合ヒドロゲル。
【請求項１１】
前記少なくとも１つの生物活性剤が、増殖因子若しくは細胞接着分子、又は増殖因子若しくは細胞接着分子をコードしている核酸である、請求項１０に記載の複合ヒドロゲル。
【請求項１２】
前記少なくとも１つの生物活性剤が、前記複合ヒドロゲルによって封入されている、請求項１０又は１１に記載の複合ヒドロゲル。
【請求項１３】
前記少なくとも１つの生物活性剤が負荷電生物活性剤であり、前記非ペプチド性ポリマーがカチオン性ポリマーである、
又は、
前記少なくとも１つの生物活性剤が正荷電生物活性剤であり、前記非ペプチド性ポリマーがアニオン性ポリマーである、
又は、
前記少なくとも１つの生物活性剤が中性生物活性剤であり、前記非ペプチド性ポリマーが中性ポリマーである、請求項１０〜１２のいずれか一項に記載の複合ヒドロゲル。
【請求項１４】
前記非ペプチド性ポリマーが複素環ポリマーである、請求項１〜１３のいずれか一項に記載の複合ヒドロゲル。
【請求項１５】
前記核酸、オリゴヌクレオチド又はポリヌクレオチドが、生物活性剤であるか又は生物活性剤をコードしている、
及び／又は、
前記核酸、オリゴヌクレオチド又はポリヌクレオチドが、請求項１０で定義した生物活性剤にコンジュゲートしている、請求項１４に記載の複合ヒドロゲル。
【請求項１６】
前記Ｎ末端保護基が一般式−Ｃ（Ｏ）−Ｒを有し、ＲがＨ、アルキル及び置換アルキルからなる群から選択される、請求項１〜１５のいずれか一項に記載の複合ヒドロゲル。
【請求項１７】
前記Ｃ末端保護基がアミド基である、請求項１〜１６のいずれか一項に記載の複合ヒドロゲル。
【請求項１８】
前記少なくとも１つの非ペプチド性ポリマーが、前記複合ヒドロゲルの全重量に対して５０％（ｗ／ｗ）以下の濃度で存在する、
又は、
前記少なくとも１つの非ペプチド性ポリマーが、前記複合ヒドロゲルの全重量に対して４０％（ｗ／ｗ）以下の濃度で存在する、
又は、
前記複合ヒドロゲルの核酸全含有量が投入比の５０％以下である、
請求項１〜１７のいずれか一項に記載の複合ヒドロゲル。
【請求項１９】
前記少なくとも１つの非ペプチド性ポリマーと前記少なくとも１つのペプチドとの混合物の水溶液を調製するステップ、又は、
前記少なくとも１つのペプチドを含む予備調製したヒドロゲルを、前記少なくとも１つの非ペプチド性ポリマーの溶液で処理するステップ
を含む、請求項１〜１８のいずれか一項に記載の複合ヒドロゲルを生産する方法。
【請求項２０】
細胞培養用の３次元足場としての請求項１〜１８のいずれか一項に記載の複合ヒドロゲルの使用。
【請求項２１】
薬剤送達用のデバイスとして、又はインプラントとして、又はインサイチュでゲル化する注射用剤としての、請求項１〜１８のいずれか一項に記載の複合ヒドロゲルの使用。
【請求項２２】
請求項１〜１８のいずれか一項に記載の複合ヒドロゲルを含む、細胞培養用の３次元足場。
【請求項２３】
請求項１〜１８のいずれか一項に記載の複合ヒドロゲルを含む、薬剤送達用のデバイス。
【請求項２４】
請求項１〜１８のいずれか一項に記載の複合ヒドロゲルを含む、インプラント又は注射用剤。
【請求項２５】
請求項１〜１８のいずれか一項に記載の複合ヒドロゲルを含む、医薬用又は美容用組成物。
【請求項２６】
再生医療で使用するための、又は組織工学及び組織再生で使用するための、
又は、
創傷又は骨格系変性疾患の治療で使用するための、
又は、
美容品として使用するための、請求項１〜１８のいずれか一項に記載の複合ヒドロゲル。
【請求項２７】
請求項１〜１８のいずれか一項に記載の複合ヒドロゲルを含む電子デバイス。